(57)【要約】【課題】複数の機能の組合せの下で画像処理のジョブを実行することのできる画像処理装置において、この複数の機能には、１のジョブでは実行できない禁止組合せが含まれる場合に、画像処理装置ユーザの意思に沿ってより柔軟な機能設定を可能とする技術を提供することを目的とする。【解決手段】禁止組合せを構成する機能であっても、一旦はユーザから指定を受け付け、その後、禁止組合せを解消するように、禁止組合せを構成する機能のいずれかの指定を解除するように、ユーザに促し、全ての禁止組合せが解消されれば、ジョブを実行するように制御する。【選択図】図２
2010102153.tif 000002
【特許請求の範囲】
【請求項１】
複数の機能の組合せの下で画像処理にかかるジョブを実行可能であり、上記複数の機能には１のジョブでは実行できない禁止組合せが含まれるジョブ実行部と、
１のジョブについて、ユーザから、上記禁止組合せを含めて実行すべき機能の指定を受けることができ、上記指定に応じた機能の設定及び変更が可能な機能設定部と、
設定中の機能に上記禁止組合せが含まれている場合、設定中の機能に含まれる上記禁止組合せを表示する組合せ表示部と、
設定中の機能に上記禁止組合せが含まれている場合、ジョブを実行できない旨、ユーザに報知する報知部と、
設定中の機能に上記禁止組合せが含まれている場合、上記ジョブ実行部にジョブを実行させず、設定中の機能に上記禁止組合せが含まれていない場合は、上記ジョブ実行部に設定中の上記機能を用いてジョブを実行させるジョブ実行制御部と、
を備える画像処理装置。
【請求項２】
上記機能設定部は、上記組合せ表示部により表示されるソフトキーによって、設定中の上記機能中で上記禁止組合せを構成する機能を他の機能へ切り替えるようにとのユーザからの指示を受けるようになっている
請求項１に記載の画像処理装置。
【発明の詳細な説明】
【技術分野】
【０００１】
本発明は、複数の機能を有する画像処理装置に関する。
【背景技術】
【０００２】
従来、画像処理装置には、カラー設定、用紙、画像濃度、後処理等、ジョブ実行の条件の設定をユーザから受け付け可能なものがある。このような画像処理装置において、上述の条件には、１のジョブでは実行できない組合せが含まれていることがある。例えば、小冊子作成と集約印刷とは、同時には実行できない処理である。
【０００３】
従来は、このように実行できない組合せは、タッチパネル上でグレーアウト表示する等して、そもそもユーザが選択できないようにしたり、設定できない組合せに含まれる条件の一方について自動的に設定を解除したりする等の禁則処理を行っていた。
【０００４】
例えば、特許文献１の画像形成システムは、他の条件との組合せにおいて実行できない後処理が指定されたとき（例えば、葉書サイズ用紙による印刷とパンチング処理との組み合わせ等）には、画像形成システムに固有の設定値に応じて、後処理の設定を解除して印刷を継続するか、印刷を停止してハードディスク等に保存するか、いずれかを実行する。そして、保存されたジョブについては、ユーザが後から呼び出して、後処理をキャンセルするか、他の設定を変更するかをユーザが選択的に指示できるようになっている。
【特許文献１】特開２００８‐１２７５７号公報（２００８年１月２４日公開）
【発明の開示】
【発明が解決しようとする課題】
【０００５】
従来の技術では、禁則処理によって或る条件が自動的に解除されたとき等、ユーザにとってはなぜその条件が設定できないのかが分かりにくい。また、ユーザにとっては解除された条件こそ、他の条件を解除しても優先したい条件である場合もあり、処理結果に不満が残ることがあった。
【０００６】
そこで本発明は、ユーザの意思に沿ってより柔軟な条件設定を可能とする技術を提供することを目的とする。
【課題を解決するための手段】
【０００７】
上記課題を解決するために、第１の発明に係る画像処理装置は、複数の機能の組合せの下で画像処理にかかるジョブを実行可能であり、上記複数の機能には１のジョブでは実行できない禁止組合せが含まれるジョブ実行部と、のジョブについて、ユーザから、上記禁止組合せを含めて実行すべき機能の指定を受けることができ、上記指定に応じた機能の設定及び変更が可能な機能設定部と、設定中の機能に上記禁止組合せが含まれている場合、設定中の機能に含まれる上記禁止組合せを表示する組合せ表示部と、設定中の機能に上記禁止組合せが含まれている場合、ジョブを実行できない旨、ユーザに報知する報知部と、設定中の機能に上記禁止組合せが含まれている場合、上記ジョブ実行部にジョブを実行させず、設定中の機能に上記禁止組合せが含まれていない場合は、上記ジョブ実行部に設定中の上記機能を用いてジョブを実行させるジョブ実行制御部と、を備える。
【０００８】
このように、この画像処理装置は、ユーザの指示に応じて、機能設定部により禁止組合せに係る機能が設定可能である。しかし、ユーザの指定により禁止組合せが解消されるまではジョブは実行されず、組合せ表示部及び報知部によってユーザに指定変更が促される。
【０００９】
ユーザ側から見ると、機能を一旦指定してから、禁止組合せが解消されるように機能を取捨選択することができることになる。よって、この画像処理装置によると、ユーザの意思に沿ったより柔軟な条件設定が可能となる。
【００１０】
また、第１発明の画像処理装置において、上記機能設定部は、上記組合せ表示部により表示されるソフトキーによって、設定中の上記機能中で上記禁止組合せを構成する機能を他の機能へ切り替えるようにとのユーザからの指示を受けるようになっていてもよい。
【発明の効果】
【００１１】
本発明の画像処理装置によると、ユーザは、機能を一旦指定してから、禁止組合せが解消されるように機能を取捨選択することができる。よって、この画像処理装置によると、ユーザの意思に沿ったより柔軟な条件設定が可能となる。
【発明を実施するための最良の形態】
【００１２】
〔１〕複写機１
（1-1）複写機１の概要
本発明の実施の一形態に係る複写機１の概要について、図１を参照して説明する。図１は複写機１の要部構成を示すブロック図である。
【００１３】
図１に示すように、複写機１は、スキャナ２、印刷部３１、用紙搬送部３２、表示パネル４、入力受付部５、タッチパネル６、画像データ処理部７、制御装置８、記憶装置９等を備える。
【００１４】
スキャナ２は、図示しない原稿台上の原稿を照明する光源、反射光を電気信号に変換するイメージセンサ、並びに、光源から原稿台へと照明光を導くと共に、反射光をイメージセンサに導くミラー及びレンズ等の光学部材等を備える（図示せず）。スキャナ２はこれらの部材によって、原稿から画像データを取得するようになっている。
【００１５】
印刷部３１は、画像データを現像剤で現像する現像部、現像された像を用紙上に転写する転写部、転写後の用紙上に画像を定着させる定着部等を備える（図示せず）。印刷部３１は、これらの部材によって、用紙上に画像を印刷することができる。
【００１６】
用紙搬送部３２は、ローラやベルト等の部材を備え、図示しない用紙カセットから上記印刷部３１へ用紙を搬送し、最終的に図示しない排紙トレイへと排出するようになっている。
【００１７】
表示パネル４は、画像を表示する表示部の一例であって、本実施形態では液晶表示パネルである。
【００１８】
入力受付部５は、タッチセンサ５１及びハードキー５２等を備え、ユーザからの入力を受け付けるようになっている。タッチセンサ５１は、表示パネル４と共にタッチパネル６として機能する。ハードキー５２には、スタートキー、テンキー、キャンセルキー等が含まれる。
【００１９】
画像データ処理部７は、スキャナ２が得た画像データについて、ファイル形式の異なるデータファイルを作成する等、種々の処理を実行できるようになっている。
【００２０】
制御装置８は、複写機１内の各部の動作を制御するようになっている。
【００２１】
記憶装置９は、種々のデータを記憶可能であるが、特に、禁則テーブル９ａを記憶している。禁則テーブル９ａは、１のジョブにおいて、複写機１が実行可能な画像処理機能が互いに組合せ可能か否かを表すテーブルである。同一のジョブについて実行できない機能の組合せを、「禁止組合せ」と称する。
【００２２】
「カテゴリー」とは、「カラー選択」、「ファイル形式」、「濃度」、「用紙選択」、「小冊子」等、各種画像処理における機能の分類である。そして、各カテゴリーはそれぞれ選択肢を含んでおり、例えば「カラー選択」には、「カラー」、「グレースケール」、及び「白黒２値」が、「ファイル形式」には、「ＰＤＦ」、「ＴＩＦＦ」、「ＪＰＥＧ」、及び「高圧縮ＰＤＦ」が、「濃度」には、「マニュアル調整」及び「自動露光調整」の機能（選択肢）が含まれる。つまり、「カテゴリー」は、同種の機能を総括する上位概念であるといえる。
【００２３】
例えば、「カラー選択」と「ファイル形式」という異なるカテゴリーにそれぞれ属する機能である「白黒２値」と「高圧縮ＰＤＦ」とは、同一のジョブでは実行できない。つまりこの２つの機能は、禁止組合せを構成している。
【００２４】
また、同一のカテゴリー内に属する「カラー選択」内に属する選択肢「カラー」、「グレースケール」、及び「白黒２値」も、互いに組み合わせることのできない機能である。
【００２５】
同一カテゴリー内の選択肢からなる禁止組合せも、異なるカテゴリーに属する選択肢の禁止組合せも、上述の禁則テーブル９ａに記録されている。しかし、しかし、この２つの禁止組合せは、表示パネル４における表示態様が異なる。この点については後述する。
【００２６】
上述したスキャナ２、印刷部３１、用紙搬送部３２、及び画像データ処理部７は、画像データの取得（読み取り、及び読み取りで得られた画像の加工等を含む）及び印刷等の画像処理ジョブを実行するジョブ実行部であるといえる。逆にいうと、画像データの取得及び印刷等は、画像処理に含まれる。
【００２７】
（1-2）機能設定
複写機１における機能設定（条件設定）について、図２〜図１２を参照して説明する。図２は制御装置８における機能設定時の制御を示すフローチャートであり、図３〜図１２は機能設定時の表示パネル４における表示画面Ｐ１〜Ｐ４を示す図である。
【００２８】
図２に示すように、制御装置８はまず、禁則解除画面Ｐ１を表示パネル４に表示させる（ステップＳ１０１）。
【００２９】
図３に示すように、禁則解除画面Ｐ１は、全ての禁則を無効にすることの適否を問うメッセージと、“Ｙｅｓ”、“Ｎｏ”の各キーとを含む。
【００３０】
図２に示すように、禁則解除画面Ｐ１でＹｅｓキーが押下されると（ステップＳ１０２でＹｅｓ）、制御装置８は禁則解除モードを実行する。一方、禁則解除画面Ｐ１でＮｏキーが押下されると（ステップＳ１０２でＮｏ）、制御装置８は禁則実行モードを実行する。以下ではまず、禁則解除モードについて説明し、次いで禁則実行モードについて説明する。
【００３１】
［禁則解除モード］
制御装置８は、表示パネル４に、設定受付画面を表示させる（ステップＳ１０３）。設定受付画面には、カテゴリー選択画面Ｐ２とその下位に属する機能設定画面Ｐ３とが含まれる。
【００３２】
図４に示すように、カテゴリー選択画面Ｐ２は、機能のカテゴリーにそれぞれ対応するキーが表示される。これらのキーのいずれかが押下されると、制御装置８は、カテゴリー選択画面Ｐ２においてユーザにより押下されたキーに対応する機能設定画面Ｐ３を、表示パネル４に表示させる。
【００３３】
図５に示すように、機能設定画面Ｐ３は、カテゴリー選択画面Ｐ２で選択されたカテゴリーに属する選択肢から、実行すべき機能をユーザに選択させる画面である。例えば、カテゴリー選択画面Ｐ２で「ファイル形式」キーが押下されると、表示パネル４には、カテゴリー「ファイル形式」に属する「ＰＤＦ」、「ＴＩＦＦ」、「ＪＰＥＧ」、及び「高圧縮ＰＤＦ」の４つの機能にそれぞれ対応する４つのキーを表示する機能設定画面Ｐ３が表示される。
【００３４】
図２に示すように、機能設定画面Ｐ３でいずれかのキーが押下されると、制御装置８は、押下されたキーに対応する機能を、実行すべき機能として設定する（ステップＳ１０４）。押下されたキーは、押下されていないキーとは異なる形態で表示される。本実施形態では、色を変えて表示されるものとする（図中ではハッチングで示す）。
【００３５】
また、図５に示すように、機能設定画面Ｐ３で、「高圧縮ＰＤＦ」キーが押下されると、「高圧縮ＰＤＦ」がファイル形式として設定され、「高圧縮ＰＤＦ」キーの表示形態が変更される。ここで、さらに「ＪＰＥＧ」キーが押下されると、「高圧縮ＰＤＦ」キーの表示形態は通常状態（押下される前の状態）に戻され、「ＪＰＥＧ」キーの表示形態が変更される。そして、実行すべき機能は、高圧縮ＰＤＦからＪＰＥＧへと、ファイル形式が変更される。
【００３６】
このように、同一のカテゴリー内では、同時に２つの選択肢は選択できないようになっている。
【００３７】
図５に示すように、機能設定画面Ｐ３には“戻る”キーが表示されており、このキーが押下されると、制御装置８は前画面であるカテゴリー選択画面Ｐ２を再び表示パネル４に表示させる。こうして、制御装置８は、他のカテゴリーに属する機能の指定を、ユーザからさらに受け付けることができる。
【００３８】
後述の禁則実行モードでは、或るカテゴリーについて１の機能が設定されると、他のカテゴリーに属し、その機能と禁止組合せを構成する機能に対応するキー、及び上記他のカテゴリーに対応するキーは、グレーアウト表示によって選択できないようにされる。しかし、禁則解除モードでは、このようなグレーアウト表示はされず、どのような機能が選択されても、全ての機能に対応するキーは選択可能に表示される。つまり、禁則解除モードにおいて、互いに組み合わせられない２つの機能（つまり禁止組合せを構成する機能）が選択されたとしても、制御装置８はこれを一旦は許容する。いわば、機能の仮設定を行う。
【００３９】
例えば、「高圧縮ＰＤＦ」と「白黒２値」とは組合せられないが、ユーザが機能設定画面Ｐ３で「高圧縮ＰＤＦ」を選択した後にカテゴリー選択画面Ｐ２に戻って「カラー選択」キーを押下すると、表示される下位の設定画面には、「白黒２値」に対応するソフトキーが、押下可能に表示される。
【００４０】
なお、同一のカテゴリーに属する２つの機能（例えばファイル形式の「ＪＰＥＧ」及び「高圧縮ＰＤＦ」等）の場合、この２つの機能を互いに組み合わせられないことはユーザにとっては明白である。よって、図５を参照して上述したように、このような２つの機能については、制御装置８は、ユーザが一方を一旦選択した後に他方を選択すると、先に選択された一方の設定を解除し、後に選択された他方の機能を実行すべき機能として設定するようになっている。
【００４１】
つまり、禁止組合せの選択を許容する、というのは、禁止組合せを構成する機能が、異なるカテゴリーに属する場合である。
【００４２】
図６は、複数の機能が設定された状態でのカテゴリー選択画面Ｐ２である。図６に示すように、ユーザに選択された機能を含むカテゴリーに対応するキーは、色を変えて表示される。
【００４３】
そして、図２に示すように、ハードキー５２中のスタートキーが押下されると（ステップＳ１０５でＹｅｓ）、ステップＳ１０４にて設定された機能に禁止されている組合せがあるかどうか、禁則テーブル９ａの内容と照らし合わせて判断する（ステップＳ１０６）。
【００４４】
設定された機能に禁止組合せが含まれていれば（ステップＳ１０６でＹｅｓ）、制御装置８は、設定変更画面Ｐ４を、表示パネル４に表示させる（ステップＳ１０７）。
【００４５】
図７に示すように、設定変更画面Ｐ４では、設定変更を促すメッセージと共に、ユーザに指定された機能のうち、禁止組合せを構成する機能を含むカテゴリーが表示される。
【００４６】
例えば、カラー選択で「白黒２値」が、ファイル形式で「高圧縮ＰＤＦ」が、濃度で「自動露光調整」が、ユーザにより指定されているとする。この場合、「白黒２値」と「高圧縮ＰＤＦ」とは禁止組合せを構成するので、この２つの機能をそれぞれ含むカテゴリー「カラー選択」及び「ファイル形式」内にそれぞれ含まれる、「カラー」、「グレースケール」、及び「白黒２値」、並びに、「ＰＤＦ」、「ＴＩＦＦ」、「ＪＰＥＧ」、及び「高圧縮ＰＤＦ」の各キーが、設定変更画面Ｐ４に表示される。各キーはユーザにより押下可能に表示される。画面Ｐ４において、現在指定されている機能（ユーザにより押下されたキー）と、指定されていない機能（押下されていないキー）とは、キーが異なる形態（本実施形態では異なる色）で表示され、ユーザが認識しやすいようになっている。
【００４７】
設定変更画面Ｐ４にて、ユーザが現在設定中の機能以外の他の機能に対応するキーを押下すると（ステップＳ１０８でＹｅｓ）、制御装置８は、押下されたキーに対応する機能へと設定を変更する（ステップＳ１０９）。
【００４８】
このような設定の変更によって、現在表示中のカテゴリーに含まれる禁止組合せが解消されると（ステップＳ１１０でＹｅｓ）、設定変更画面Ｐ４の「次へ」キーＫ４１は押下可能となるが（ステップＳ１１２）、それまでは「次へ」キーＫ４１はグレーアウト表示され、ユーザはこのキーを押下することができないようになっている。例えば、機能を変更しても禁止組合せが解消されない場合には、「次へ」キーＫ４１はグレーアウトのままとなる（ステップＳ１１０）。
【００４９】
禁止組合せが解消されない、とは、既に発生していた禁止組合せが解消されないだけでなく、設定変更によって新たな禁則が発生した場合を含む。
【００５０】
例えば、図８に示すように、図７の状態から、ユーザがカラー選択に含まれる機能のうち「カラー」を指定したとする。このとき、制御装置８は、白黒２値の指定を解除して、「カラー」を実行すべき機能として設定する。ところが、機能「カラー」と、カテゴリー「濃度」中の機能「自動露光調整」とは禁止組合せを構成する。この場合、禁止組合せは解消されていないものとして、「次へ」キーＫ４１はグレーアウト表示のままとされる（ステップＳ１１０でＮｏ）。
【００５１】
このように、現在表示中のカテゴリー中の機能を含む禁止組合せが解消されていない間は、次の操作をユーザに許可しないことで、制御装置８は、機能指定を変更してユーザ
また、図８に示すように、この例において、制御装置８は、設定変更画面Ｐ４内のサブ画面Ｐ４１に、新たに発生した禁止組合せを構成する機能を含むカテゴリーである「濃度」に対応するキーを表示する。
【００５２】
サブ画面Ｐ４１に表示されたキーが押下されると、図９に示すように、制御装置８は、禁止組合せを構成する２つの機能「カラー」及び「自動露光調整」をそれぞれ含む、カテゴリー「カラー選択」及び「濃度」に含まれる機能を表示する設定変更画面Ｐ４を、表示パネル４に表示させる（ステップＳ１１０でＮｏ→Ｓ１０７）。後は、上述したように、ユーザは禁止組合せを解消するように、設定変更画面Ｐ４のソフトキーを介して、機能の指定を変更することができる。
【００５３】
このように、本実施形態では、機能を変更することで新たに禁止組合せが発生すれば、これをユーザに提示して、設定の変更を促すことができる。
【００５４】
さらに図９の設定変更画面Ｐ４において、濃度条件が自動露光調整からマニュアル調整に変更されると、禁止組合せは解消されるので、図１０に示すように、「次へ」キーＫ４１は押下可能に表示される（ステップＳ１１２）。
【００５５】
なお、「次へ」キーＫ４１は、他に変更すべき設定がある場合、すなわち、設定変更画面Ｐ４に現在表示中のカテゴリー以外のカテゴリー間で禁止組合せが発生している場合に表示される。よって、他にこのような禁止組合せが発生していなければ（ステップＳ１１１）、図１１に示すように、制御装置８は、「次へ」キーＫ４１でなく、「実行」キーＫ４２を表示パネル４に表示させる（ステップＳ１１３）。つまり、全ての禁止組合せが解消されたときに、「実行」キーＫ４２が表示されることになる。
【００５６】
この実行キーＫ４２が押下されると（ステップＳ１１４）、制御装置８は、現在設定されている機能の下、スキャナ２、印刷部３１、用紙搬送部３２、画像データ処理部７等を制御して、ジョブ実行を行う（ステップＳ１１５）。
【００５７】
以上の説明から明らかなように、制御装置８及びタッチパネル６は、ユーザから、禁止組合せを含めて、１のジョブについて実行すべき機能の指定を受けることができ、この指定に応じて機能の設定及び変更を行うことができる機能設定部として機能する。
【００５８】
この機能設定部は、機能設定画面Ｐ３を介してユーザからの指定を受け付け、この指定に応じて機能を設定する第１設定部と、設定変更画面Ｐ４を介してユーザから設定の変更を受け付け、この指定に応じて機能設定の変更を行う第２設定部とを有するといえる。
【００５９】
また、制御装置８及び表示パネル４は、設定中の機能に禁止組合せが含まれている場合、設定中の機能に含まれる禁止組合せを表示する組合せ表示部として機能する。
【００６０】
また、上述したように、「次へ」キーＫ４１がグレーアウト表示されることによって、ユーザは次の操作へ移れないため、何らかの禁止組合せが発生しているので、これを解消しなければジョブが実行されないことを理解する。つまり、制御装置８及び表示パネル４は、設定中の機能に禁止組合せが含まれている場合、ジョブを実行できない旨、ユーザに報知する報知部として機能する。
【００６１】
また、制御装置８は、全ての禁止組合せが解消されなければジョブ実行を許可しないので、設定中の機能に禁止組合せが含まれている場合はジョブ実行部（スキャナ２、印刷部３１、用紙搬送部３２、画像データ処理部７）にジョブを実行させず、設定中の機能に禁止組合せが含まれていない場合は、ジョブ実行部にジョブを実行させるジョブ実行制御部として機能するといえる。
【００６２】
［禁則実行モード］
禁則実行モードにおいても、制御装置８は、図４に示す設定受付画面（Ｐ２及びＰ３）を表示パネル４に表示させることで、ユーザからの指示を受け付け、指示に合わせて機能の設定を行う（ステップＳ１１６、Ｓ１１７）。
【００６３】
ただし、この場合、ユーザが１のカテゴリーについて或る機能を選択し、この機能と他のカテゴリーに属する機能とが組合せられない場合には、制御装置８は、機能設定画面Ｐ３において、この或る機能と禁止組合せの関係にある他のカテゴリーの機能について、対応するソフトキーを、ユーザが押下できないようにグレーアウト表示させる（ステップＳ１１８）。また、１のカテゴリーについて或る機能を選択したときに、他のカテゴリーの機能が全て選択できないような場合には、カテゴリー選択画面Ｐ２において、上記他のカテゴリーに対応するソフトキーをグレーアウト表示させる（ステップＳ１１８）。
【００６４】
例えば、図１２に示すように、「白黒２値」と「高圧縮ＰＤＦ」とは組み合わせられないので、カラー選択で「白黒２値」が選択されているときには、機能設定画面Ｐ３において、ファイル形式における「高圧縮ＰＤＦ」のソフトキーは、選択できないようにグレーアウト表示（図中では点線で表示）される。
【００６５】
ここで、ユーザがカラー選択で「カラー」を選択すれば、ファイル形式について「高圧縮ＰＤＦ」のソフトキーについてグレーアウト表示は解除され、このソフトキーは押下可能とされる。
【００６６】
そして、ユーザがスタートキーを押下すると（ステップＳ１１９でＹｅｓ）、制御装置８は、ユーザから受け付けた指定に基づいて、複写機１内の各部を制御して、ジョブを実行する。
【００６７】
以上のように、複写機１は、禁則解除モードを有することで、ユーザに、禁則（禁止組合せ）にしばられない機能の選択を可能とさせる。そして、機能を選択した後、複写機１は、選択の変更を受け付けて、禁止組合せを解消するようにユーザに促すことで、ユーザに、自己にとって優先したい機能を維持しつつ、優先順位の低い機能の指定を解除する等の柔軟な選択を可能とさせることができる。
【００６８】
〔２〕他の実施形態
（2-1）第１実施形態では、１のジョブで組み合わせて実行できない機能のうち、異なるカテゴリーに属する機能についてのみ、一旦は設定を許容し、設定変更画面Ｐ４で設定を変更するようにユーザに促すものとした。しかし、制御装置８が、同一カテゴリー内の各機能についても、同様に一旦は設定可能で、その後設定変更画面Ｐ４で設定変更を受け付けるようになっていてもよい。
【００６９】
（2-2）画像データ処理部７及び制御装置８の機能の一部（例えば図２に示す処理）又は全部は、ハードウェアによって実現されてもよく、ソフトウェアによって実現されてもよい。ソフトウェアによって実現される場合、画像データ処理部７及び制御装置８は、ＣＰＵ（Central Processing Unit）、並びに、ＲＡＭ（Random Access Memory）、ＲＯＭ（Read Only Memory）、及びＨＤＤ（Hard Disk Drive）等の記憶装置を備えればよい。ＣＰＵは、ＲＯＭ等に格納されたプログラムを読み出して実行することによって、制御、判断、演算等の機能を実現し、ＲＡＭはＣＰＵの作業領域として機能する。
【００７０】
（2-3）第１実施形態では、画像処理装置の一例として複写機を挙げたが、他の画像処理装置、例えばスキャナ、複合機等にも、本発明を適用することができる。
【図面の簡単な説明】
【００７１】
【図１】本発明の実施の一形態に係る複写機１の要部構成を示すブロック図。
【図２】複写機１における機能設定受付時の処理を示すフローチャート。
【図３】禁則解除画面Ｐ１を示す図。
【図４】カテゴリー選択画面Ｐ２の表示の一形態を示す図。
【図５】機能設定画面Ｐ３の表示の一形態を示す図。
【図６】カテゴリー選択画面Ｐ２の表示の他の形態を示す図。
【図７】設定変更画面Ｐ４の表示の一形態を示す図。
【図８】設定変更画面Ｐ４の表示の他の形態を示す図。
【図９】設定変更画面Ｐ４のさらに表示の他の形態を示す図。
【図１０】設定変更画面Ｐ４のさらに表示の他の形態を示す図。
【図１１】設定変更画面Ｐ４のさらに表示の他の形態を示す図。
【図１２】機能設定画面Ｐ３の表示の他の形態を示す図。
【符号の説明】
【００７２】
１      複写機
２      スキャナ
３１    印刷部
３２    用紙搬送部
４      表示パネル
５      入力受付部
６      タッチパネル
７      画像データ処理部
８      制御装置
９      記憶装置
Ｐ１    禁則解除画面
Ｐ２    カテゴリー選択画面
Ｐ３    機能設定画面
Ｐ４    設定変更画面
【図１】
2010102153.tif 000003
【図２】
2010102153.tif 000004
【図３】
2010102153.tif 000005
【図４】
2010102153.tif 000006
【図５】
2010102153.tif 000007
【図６】
2010102153.tif 000008
【図７】
2010102153.tif 000009
【図８】
2010102153.tif 000010
【図９】
2010102153.tif 000011
【図１０】
2010102153.tif 000012
【図１１】
2010102153.tif 000013
【図１２】
2010102153.tif 000014